(57)【要約】【課題】 高価な位置合わせ装置を用いることなく、また機械的な可動部の振動による位置制御の低下をなくすることにより、安価な装置で高い位置決め精度を有し、かつ高い光利用効率で形状加工を行うレーザ加工装置を提供すること。【解決手段】レーザ光源１１と、  該レーザ光源１１から出射されるレーザ光１２の位相を変調する空間位相変調手段１３と、  所定の加工形状に対応する加工ホログラムデータに、該所定の加工形状の像を加工面の所定の加工位置に再生する位置移動ホログラムデータを付加することにより、合成データを生成し、該合成データを上記空間位相変調手段１３へ入力するデータ入力手段１６,１７と、  上記空間位相変調手段１３により位相変調を受けた上記レーザ光１２のホログラム像を上記加工面に再生させる結像手段１４と、を有するレーザ加工装置。【選択図】図１
2006113185.tif 000002
【特許請求の範囲】
【請求項１】
レーザ光源と、
該レーザ光源から出射されるレーザ光の位相を変調する空間位相変調手段と、
所定の加工形状に対応する加工ホログラムデータに、該所定の加工形状の像を加工面の所定の加工位置に再生する位置移動ホログラムデータを付加することにより、合成データを生成し、該合成データを上記空間位相変調手段へ入力するデータ入力手段と、
上記空間位相変調手段により位相変調を受けた上記レーザ光のホログラム像を上記加工面に再生させる結像光学手段と、
を有することを特徴とするレーザ加工装置。
【請求項２】
上記位置移動ホログラムデータは、加工面に平行な方向に関するホログラムデータ、あるいは上記加工面に垂直な方向に関するホログラムデータ、又はこれら両方のホログラムデータを合成した合成位置移動ホログラムデータであることを特徴とする請求項１に記載のレーザ加工装置。
【請求項３】
上記加工面に平行な方向に関するホログラムデータは、鋸歯形状又は略鋸歯状の位相分布を持つホログラムデータであることを特徴とする請求項２に記載のレーザ加工装置。
【請求項４】
上記加工面に垂直な方向に関するホログラムデータは、フレネルゾーンプレート状位相分布を持つホログラムデータであることを特徴とする請求項２に記載のレーザ加工装置。
【請求項５】
上記空間位相変調手段と上記結像光学手段との距離が、該結像光学手段の焦点距離と等しい距離となっていることを特徴とする請求項４に記載のレーザ加工装置。
【請求項６】
上記空間位相変調手段へ入力されるレーザ光の波面を計測する波面計測手段を備え、
上記データ入力手段は、該波面計測手段により計測されたレーザ光の波面のゆがみを補正する補正データを生成し、該補正データを上記空間位相変調手段へ入力することを特徴とする請求項１〜請求項５のいずれかに記載のレーザ加工装置。
【請求項７】
上記レーザ光の照射時間を調整する照射時間調整手段、あるいは上記レーザ光の照射強度を調整する照射強度調整手段、又はこれらの双方を有していることを特徴とする請求項１〜請求項６のいずれかに記載のレーザ加工装置。
【請求項８】
上記加工面に平行な方向の位置を測定する平行方向位置検出手段を有し、該平行方向位置検出手段による位置の測定結果に基づき、上記加工面に平行な方向に関するホログラムデータを生成することを特徴とする請求項２〜請求項７のいずれかに記載のレーザ加工装置。
【請求項９】
上記平行方向位置検出手段は、上記加工面上の基準パターンを検出することを特徴とする請求項８に記載のレーザ加工装置。
【請求項１０】
上記加工面に平行な方向において、上記加工面に照射されるレーザ光と該加工面との相対的位置を変化させる第１移動手段を有することを特徴とする請求項１〜請求項９のいずれかに記載のレーザ加工装置。
【請求項１１】
上記加工面に垂直な方向において、上記結像光学手段と該加工面との相対的な位置関係を測定する垂直方向位置検出手段を有し、
該垂直方向位置検出手段による位置測定結果に基づき、該加工面に垂直な方向に関するホログラムデータを生成することを特徴とする請求項２〜請求項１０のいずれかに記載のレーザ加工装置。
【請求項１２】
上記加工面に垂直な方向において、上記結像光学手段と該加工面との相対的な位置を変化させる第２移動手段を有することを特徴とする請求項１〜請求項１１のいずれかに記載のレーザ加工装置。
【請求項１３】
上記レーザ光源が数ピコ秒以下のパルス幅を持った超短パルスレーザ光源であることを特徴とする請求項１〜請求項１２のいずれかに記載のレーザ加工装置。
【請求項１４】
請求項１〜請求項１３のいずれかに記載のレーザ加工装置によって製作された加工品。
【発明の詳細な説明】
【技術分野】
【０００１】
この発明は、レーザ光を被加工物へ照射して加工を行うレーザ加工装置に関し、特に、数μｍから数１００ｎｍの分解能を必要とする高精度部品、例えば、ＭＥＭＳや回折光学素子などの２次元あるいは３次元の形状加工品、またはフォトニック結晶、プリント基板、インクジェットヘッドなどの微細な多数の穴形状を持つ部品の加工に応用することができる。
【背景技術】
【０００２】
レーザ光は、短い時間にエネルギーを微小領域に正確に集中することができるため、金属や合成樹脂等の表面パターニング、穿孔、切断、切削等のような直接材料加工や、リソグラフィや光造形などの材料の化学変化や、材料の改質・変質など様々な加工形態に用いられる（以後、単に「加工」という場合は、これら様々な加工形態の全てを含む）。特に、近年１μｍ以下の分解能を持つ超微細な２次元または３次元形状の加工法として多用されており、屈折型および回折型の光学素子や、光ディスクの原盤、電気回路、ＭＥＭＳ素子など多様な製品を作製するのに用いられている。
【０００３】
従来、レーザ光を用いて形状加工を行う場合、次のような方法が存在する。
１．光を集光して加工を行う方法で、集光点または被加工物を移動させることによって加工を行う方法。
２．光をマスクに通し、マスクの形状を加工面に投影することによって形状加工を行う方法。
上記１．の方法に関しては、被加工物を照射光の光軸に垂直方向に移動させることによって加工を行う方法と、ガルバノスキャナーなどを用いて集光点を走査する方法がある。ガルバノスキャナーを用いる方法では、一般的により高速で高精度な加工が可能となるが、しかし、集光点を走査するため広い範囲の加工、または面の加工を行う際には、スループットが低いことが問題である。
上記２．の方法に関しては、マスクの形状を加工面に縮小して投影する方法をとることによって、高精度な形状を一括して加工することができる。また、グレースケールマスクを用いることによって立体的な加工も可能である。しかし、この加工法には以下のような問題がある。
(ａ) マスクによって光を遮蔽するため、投影する形状によっては光利用効率が非常に低いものとなる。
(ｂ) マスクに照射される光強度のむらが、加工形状のむらとなる。
【０００４】
これらの加工法の問題を解決し、高い光利用効率で形状一括加工を行う方法として、回折光学素子またはホログラムによる加工法が提案されている（特開２００２−６６７６９号公報及び特開２００１−２７２６３５号公報参照）。
この加工法は、コヒーレントな光源から出射された光を、その光の位相あるいは振幅、またはその両方を変調する素子によって整形することにより、加工面で所望の形状を得る方法である。
ところで、レーザ光による形状加工装置では、所望の加工部位へ位置合わせを行う必要があり、特に高分解能を必要とする形状加工を行う際には、分解能の１/１０程度以下の位置合わせ精度が必要となる。
従来、所望する加工部へレーザ光の照射位置を合わせる方法として、位置計測装置を有しているクローズドループ型のステージやピエゾ素子を用いたステージ、または高い角度分解能のガルバノスキャナーなどを用いる方法がある。特に、ホログラム素子とガルバノスキャナーを組み合わせることによって、広い範囲で形状加工を行う方法が、例えば特開２００２−６６７６９号公報などに開示されている。
【０００５】
しかし、これらの装置は高価であり、またこれらの方法は機械的な可動部を有しているため、機械的な動きによる振動も問題となる。
また、特に３次元形状を造形するとき、または穿孔のように加工位置が深さ方向に変化する際に、加工を行いながらレーザ光軸方向への焦点位置の調整も必要となる。
従来、焦点位置を調整する方法としては、結像光学系にピエゾ素子を駆動源とするアクチュエータを利用する方法や、試料を固定するステージ自体を移動させる方法がある。
いずれの方法においても、高精度の駆動装置が必要であるため装置が高価になること、機械的に移動させるため、加速時または減速時に生じる振動などにより位置制御の精度が低下することなどが問題として存在している。
【０００６】
この他に本発明と関連する従来技術としては、特開２０００−２２３７６６号公報（レーザ加工装置およびレーザ加工方法）に記載されたものがある。この公報のレーザ加工装置は、レーザ光を被加工物へ集光照射し加工を行うものにおいて、液晶パネルによって構成される変調手段によってレーザ光の位相変調を行い、集光点の位置又は形状を変化させるものである。
また、特開２００１−２０９００３号公報（レーザ加工装置）に記載されたものがある。この公報のレーザ加工装置は、レーザ光源と、レーザ光源から出射されたレーザ光を平行ビームとする光学系と、平行ビームを加工面上に所定の強度で分布させるスポット形状変換作用及びレンズ作用を備えたスポット形状変換素子とを具備しており、該スポット形状変換素子により光の方向を変化させると共に、光強度の再配分を行ない、加工面において所定の出力強度分布となるようにするものである。
しかしながら、本発明に関する従来技術としては、前述の特開２００２−６６７６９号公報及び特開２００１−２７２６３５号公報に記載されたものが、技術的により近いものと考えられるので、上記２件の公報に記載されたものについては、これ以上の説明を省略する。
【０００７】
【特許文献１】特開２００２−６６７６９号公報
【特許文献２】特開２００１−２７２６３５号公報
【特許文献３】特開２０００−２２３７６６号公報
【特許文献４】特開２００１−２０９００３号公報
【発明の開示】
【発明が解決しようとする課題】
【０００８】
本発明の課題は、高価な位置合わせ装置を用いることなく、また機械的な可動部の振動による位置制御の低下をなくすることにより、安価な装置で高い位置決め精度を有し、かつ高い光利用効率で形状加工を行うレーザ加工装置を提供することである。
【課題を解決するための手段】
【０００９】
上記課題に対する解決手段は、所定の加工形状に対応する加工ホログラムデータに対して、該所定の加工形状の像を加工面の所定の加工位置に再生する位置移動ホログラムデータを付加することにより合成データを生成し、該合成データをレーザ光の位相を変調する空間位相変調手段へ入力することが基本である。
【００１０】
〔解決手段〕（請求項１に対応）
上記課題を解決するために講じた解決手段は、レーザ加工装置を前提として、次の(イ)〜(ニ)の要件を有することである。
(イ) レーザ光源、
(ロ) 該レーザ光源から出射されるレーザ光の位相を変調する空間位相変調手段、
(ハ) 所定の加工形状に対応する加工ホログラムデータに、該所定の加工形状の像を加工面の所定の加工位置に再生する位置移動ホログラムデータを付加することにより、合成データを生成し、該合成データを上記空間位相変調手段へ入力するデータ入力手段、
(ニ) 上記空間位相変調手段により位相変調を受けた上記レーザ光のホログラム像を上記加工面に再生させる結像光学手段。
【００１１】
〔作 用〕
加工ホログラムデータに位置移動ホログラムデータを付加することによって合成データを作成し、この合成データにより空間位相変調手段を作動させて、レーザ光源から出射されるレーザ光の位相を変調させることによって、所定の加工形状の像を被加工物の加工面に再生することができるので、高い光利用効率を有し所望の位置に所望の形状の加工を行うことが可能となる。所定の加工形状の像を再生する機能と位置合わせ機能を、一つの空間位相変調素子によって実現することができる。
【００１２】
〔実施態様１〕（請求項２に対応）
実施態様１は、上記解決手段のレーザ加工装置において、位置移動ホログラムデータは、加工面に平行な方向に関するホログラムデータ、あるいは加工面に垂直な方向に関するホログラムデータ、又はこれら両方のホログラムデータを合成した合成位置移動ホログラムデータであることである。
〔作 用〕
加工面に平行な方向に関するホログラムデータと、加工面に垂直な方向に関するホログラムデータについて、それぞれ計算した後に合成して、位置移動ホログラムデータとすることにより、計算を簡単にすることができる。
【００１３】
〔実施態様２〕（請求項３に対応）
実施態様２は、上記実施態様１のレーザ加工装置において、加工面に平行な方向に関するホログラムデータは、鋸歯形状又は略鋸歯状の位相分布を持つホログラムデータであることである。
〔作 用〕
加工面に平行な方向に関するホログラムデータとして、移動させたい量に対して簡単に計算できるホログラムデータあることが望ましい。
鋸歯形状又は略鋸歯状の位相分布を持つホログラムデータを用いることによって、所望の位置と現在のレーザ光照射位置とのずれ量ΔxとΔyから、簡単な計算によって鋸歯形状を自動的に決定することができる。
また、加工ホログラムデータと鋸歯状のデータを変えながら複数回の加工を行うことにより、複雑な形状であっても、複数回の単純な形状に分けて加工を行うことが可能である。複雑な形状のホログラム像を計算するときは、計算による誤差が大きくなるが、複数の単純な画像に分けて計算することにより、ホログラムによる像再生の誤差を減少させることができる。
【００１４】
〔実施態様３〕（請求項４に対応）
実施態様３は、上記実施態様１のレーザ加工装置において、加工面に垂直な方向に関するホログラムデータは、フレネルゾーンプレート状位相分布を持つホログラムデータであることである。
〔作 用〕
フレネルゾーンプレート状位相分布を持つホログラムデータにより、レーザ光の照射位置を加工面に垂直な方向（レーザ光の光軸方向）にずらすことができる。加工面に垂直な方向に関するホログラムデータとして、簡単に計算可能なホログラムデータである。
【００１５】
〔実施態様４〕（請求項５に対応）
実施態様４は、上記実施態様３レーザ加工装置において、空間位相変調手段と結像光学手段との距離が、該結像光学手段の焦点距離と等しい距離となっていることである。
〔作 用〕
上記実施態様３のレーザ加工装置では、ホログラム像にフレネルゾーンプレート状のデータを付加し、結像光学手段により所望の加工面にホログラム像の再生を行う。このとき、ホログラム再生像の大きさは、フレネルゾーンプレート状データの焦点距離と結像光学手段の焦点距離、および空間位相変調手段と結像光学手段の位置関係により決定される。そこで、通常は、付加するフレネルゾーンプレート状データの焦点距離によって、再生されるホログラム像の大きさが変化するという問題が生じる。
この実施態様４のレーザ加工装置では、上記実施態様３のものにおいて、空間位相変調手段と結像光学手段との距離ｄを結像光学手段の焦点距離ｆと等しくしているので、フレネルゾーンプレート状のデータの焦点距離がどのようなものであっても、ホログラム像の大きさは常に一定であって変化することはない。
【００１６】
〔実施態様５〕（請求項６に対応）
実施態様５は、上記解決手段、又は実施態様１〜実施態様４のいずれかのレーザ加工装置において、空間位相変調手段へ入力されるレーザ光の波面を計測する波面計測手段を備え、データ入力手段は、該波面計測手段により計測されたレーザ光の波面のゆがみを補正する補正データを生成し、該補正データを空間位相変調手段へ入力することである。
〔作 用〕
ホログラム像によって加工を行う場合、レーザ光源から出射されるレーザ光の波面のゆがみ（歪み）が加工形状に悪影響を及ぼす。 
空間位相変調手段へ入射されるレーザ光の波面を測定して、その測定結果を該空間位相変調手段へ入力するデータへフィードバックすることにより、レーザ光の波面のゆがみ（歪み）を補正することができるので、より高精度のホログラム再生像を得ることができる。
【００１７】
〔実施態様６〕（請求項７に対応）
実施態様６は、上記解決手段、又は実施態様１〜実施態様５のいずれかのレーザ加工装置において、レーザ光の照射時間を調整する照射時間調整手段、あるいはレーザ光の照射強度を調整する照射強度調整手段、又はこれらの双方を有していることである。
〔作 用〕
加工深さや加工形状はレーザ光の強度、又はレーザ光の照射時間（又はパルス数）に依存する。所望の加工形状を高精度で得るには、レーザ光の最適な強度及び照射時間を設定することが必要である。
この実施態様６では、レーザ光の照射時間調整手段又は照射強度調整手段をによって、レーザ光の照射時間や照射強度を調整することができるので、さらに精度の高い加工を行うことができる。予め、レーザ光の照射強度や照射時間に対する加工形状のデータを備えておくことが望ましい。
また、上記実施態様２の複数回の加工においては、レーザ照射時間（パルスレーザでは照射回数）を変えることによって、３次元形状の加工が可能である。
【００１８】
〔実施態様７〕（請求項８に対応）
実施態様７は、上記実施態様１〜実施態様６のいずれかのレーザ加工装置において、加工面に平行な方向の位置を測定する平行方向位置検出手段を有し、該平行方向位置検出手段による位置の測定結果に基づき、加工面に平行な方向に関するホログラムデータを生成することである。
〔作 用〕
平行方向位置検出手段を用いることにより、被加工物の加工面に平行な方向の位置を正確に知ることができる。この被加工物の正確な位置を計算機にフィードバックすることによって、鋸歯形状データを自動的に決定することが可能であり、より精度の高い位置合わせをすることができる。
【００１９】
〔実施態様８〕（請求項９に対応）
実施態様８は、上記実施態様７のレーザ加工装置において、平行方向位置検出手段は、加工面上の基準パターンを検出することである。
〔作 用〕
加工部の特徴点を平行方向位置検出手段である観察システムにより読み込むことによって、加工すべき位置を知ることができ、その結果を計算機にフィードバックすることによって、より精度の高い位置合わせをすることができる。
また、直接に形状変化がなされる加工においては、加工中に加工部の形状を観察することが可能となり、この観察結果を計算機にフィードバックすることによって、例えばレーザ照射位置やレーザ光強度などを調整して、より精密な加工を行うことができる。
【００２０】
〔実施態様９〕（請求項１０に対応）
実施態様９は、上記解決手段、又は実施態様１〜実施態様８のいずれかのレーザ加工装置において、加工面に平行な方向における、該加工面に照射されるレーザ光と該加工面との相対的位置を変化させる第１移動手段を有することである。
〔作 用〕
上記解決手段、又は実施態様１〜実施態様８のレーザ加工装置では、精密な位置合わせを行って形状加工を行うことができるが、広い面積を加工することはできない。
この実施態様９では、加工面に平行な方向に移動させる第１移動手段（例えばステージ）により、レーザ光と加工面との相対的位置を変化させながら加工を行う、いわゆるステップアンドリピート加工を行うことによって、広い面積の加工をすることが可能となる。粗調整を第１移動手段によって、微調整を空間位相変調手段へ入力するデータによって位置合わせをするので、第１移動手段は位置決め精度が数１０μｍ以下の廉価なものを用いることができる。
【００２１】
〔実施態様１０〕（請求項１１に対応）
実施態様１０は、上記実施態様１〜実施態様９のいずれかのレーザ加工装置において、加工面に垂直な方向における、結像光学手段と該加工面との相対的な位置関係を測定する垂直方向位置検出手段を有し、該垂直方向位置検出手段による位置測定結果に基づき、該加工面に垂直な方向に関するホログラムデータを生成することである。
〔作 用〕
上記実施態様１〜実施態様９のレーザ加工装置では、加工面に垂直な方向にホログラム像の再生位置を調整することが可能であるが、所望の加工位置に精密にホログラム像の再生位置を合わせるためには、被加工物と結像光学手段との距離が重要である。特に、実施態様９で述べたようなステップアンドリピート加工を行う際には、被加工物表面のうねりなどによって結像光学手段と被加工物との距離がずれる問題がある。
この実施態様１０では、被加工物と結像光学手段との距離を計測することにより、その結果を計算機へフィードバックして、ホログラム像の再生位置を光軸方向に精密に調整することができる。
【００２２】
〔実施態様１１〕（請求項１２に対応）
実施態様１１は、上記解決手段、又は実施態様１〜実施態様１０のいずれかのレーザ加工装置において、加工面に垂直な方向における、結像光学手段と該加工面との相対的な位置を変化させる第２移動手段を有することである。
〔作 用〕
上記解決手段、及び実施態様１〜実施態様１０のレーザ加工装置では、結像位置を数１０μｍ程度動かすことは可能であるが、それ以上動かすことは困難である。このため、例えば段差の大きい物体の加工、又は深い溝や穴の加工が困難である。
この実施態様１１では、第２移動手段を有することにより、被加工物と結像光学手段との距離を大きく変えることができ、結像位置を大きく動かすことが可能であるので、段差の大きい物体の加工、又は深い溝や穴の加工を行うことができる。
【００２３】
〔実施態様１２〕（請求項１３に対応）
実施態様１２は、上記解決手段、又は実施態様１〜実施態様１１のいずれかのレーザ加工装置において、レーザ光源が数ピコ秒以下のパルス幅を持った超短パルスレーザ光源であることである。
〔作 用〕
レーザ光によって直接形状変化を誘起させる加工においては、通常、レーザの熱によって形状変化が誘起される。照射部にレーザ光のエネルギーが熱として伝わり、加工部が気化または液化することにより形状変化が生じる。このとき、加工が行われるレーザ照射部周辺まで熱伝播の影響を及ぼすため、光を照射した個所の周辺も熱の影響を受け、精密な加工が困難である。特に、微細な形状を加工する際には、熱の伝播による影響を無視することができない。
この実施態様１２では、パルス幅が数ピコ秒以下の超短パルスレーザ光による加工であり、被加工物とレーザ光との相互作用時間が非常に短いため、熱伝播による影響を小さく抑えることができる。また、超短パルスレーザ光では非常に強いエネルギーが瞬間的に発生するため、低エネルギーで加工することができるので、難加工材であっても直接除去する加工が可能である。
【発明の効果】
【００２４】
本発明の効果を主な請求項毎に整理すると、次ぎのとおりである。
(１) 請求項１に係る発明
合成データにより空間位相変調手段を動作させて、所定の加工形状の像を被加工物の所定の加工位置に再生することができるので、高い光利用効率で、且つ高い位置決め精度を有するレーザ加工を行うことが可能である。また、所定の加工形状の再生と位置合わせを一つの空間位相変調素子によって実現することができるので、安価な装置とすることが可能である。
(２) 請求項２に係る発明
加工面に平行な方向に関するホログラムデータと、加工面に垂直な方向に関するホログラムデータについて、それぞれ計算した後に合成して、位置移動ホログラムデータを作成すると計算を簡単にすることができるので、位置移動ホログラムデータの計算にかかる時間を減らすことが可能となり、高速で次々と加工を行うことができる。
【００２５】
(３) 請求項３に係る発明
加工面に平行な方向に関するホログラムデータとして、鋸歯形状のデータを用いることにより、所望の位置と現在のレーザ光照射位置とのずれ量ΔｘとΔｙから、簡単な計算によって鋸歯形状を自動的に決定することが可能である。
また、加工ホログラムデータと鋸歯状のデータを変えながら複数回の加工を行うことにより、複雑な形状であっても、複数回の単純な形状に分けて加工を行うことが可能である。複雑な形状のホログラム像を計算するときは、計算による誤差が大きくなるが、複数の単純な画像に分けて計算すれば、ホログラムによる像再生の誤差を減少させることができるので、さらに高精度な加工が可能である。
【００２６】
(４) 請求項４に係る発明
フレネルゾーンプレート状位相分布を持つホログラムデータにより、レーザ光の照射位置を加工面に垂直な方向にずらすことができる。加工面に垂直な方向に関するホログラムデータとして、簡単に計算可能なホログラムデータである。
(５) 請求項５に係る発明
空間位相変調手段と結像光学手段との距離を、該結像光学手段の焦点距離と等しくしているので、フレネルゾーンプレート状データの焦点距離に関わらず、再生されるホログラム像の大きさを常に一定とすることが可能である。
【００２７】
(６) 請求項６に係る発明
空間位相変調手段へ入射されるレーザ光の波面のゆがみ（歪み）を補正することができ、より高精度のホログラム再生像を得ることができるので、高精度の加工形状を得ることが可能である。
(７) 請求項７に係る発明
レーザ光の照射時間調整手段又は照射強度調整手段をによって、レーザ光の照射時間や照射強度を調整することができるので、さらに精度の高い加工を行うことができる。また、加工深さを精密に制御したり、３次元形状の加工が可能である。
【００２８】
(８) 請求項８に係る発明
被加工物の加工面に平行な方向において、より精度の高い位置合わせをすることができるので、所望する加工位置に高精度の加工を行うことができる。
(９) 請求項９に係る発明
加工部の特徴点を平行方向位置検出手段である観察システムから読み込むことによって、加工すべき位置を知ることができ、その結果を計算機にフィードバックすることによって、より精度の高い位置合わせをすることができる。
また、直接に形状変化がなされる加工においては、加工中に加工部の形状を観察することが可能となり、この観察結果を計算機にフィードバックすることによって、例えばレーザ照射位置やレーザ光強度などを調整して、より精密な加工を行うことができる。
【００２９】
(１０) 請求項１０に係る発明
加工面に平行な方向に移動させる第１移動手段（例えばステージ）により、レーザ光と加工面との相対的位置を変化させながら加工を行う、いわゆるステップアンドリピート加工を行うことにより、広い面積の加工を行うことが可能となる。
粗調整を第１移動手段によって、微調整を空間位相変調器へ入力するデータによって位置合わせをするため、第１移動手段は位置決め精度が数１０μｍ以下の廉価なものを用いることができるので、安価な装置によって高精度で大面積を加工することが可能である。
【００３０】
(１１) 請求項１１に係る発明
被加工物と結像光学手段との距離を計測することにより、その結果を計算機へフィードバックして、ホログラム像の再生位置を光軸方向に精密に調整することができるので、より高精度の加工を行うことができる。
(１２) 請求項１２に係る発明
第２移動手段を有することにより、結像光学手段の結像位置を大きく動かすことができるので、段差の大きい物体の加工、又は深い溝や穴の加工を行うことができる。
【００３１】
(１３) 請求項１３に係る発明
パルス幅が数ピコ秒以下の超短パルスレーザ光による加工では、被加工物とレーザ光との相互作用時間が非常に短いため、熱伝播による影響を小さく抑えることができる。
また、超短パルスレーザ光では非常に強いエネルギーが瞬間的に発生するため、低エネルギーで加工することができるので、ダイヤモンド、ガラス、又は酸化物などの難加工材に対しても、直接除去加工が可能である。
さらに、超短パルスレーザ光では非常に強いピークパワーを持つため、２光子吸収過程を利用して加工を行うことが可能であり、レーザ光に対して透明な物体の内部に加工を行うことが可能となる。このとき、本発明のレーザ加工装置では３次元的に位置合わせが可能であるため、透明体内部の任意の位置に高い位置合わせ精度で加工することが可能である。
(１４) 請求項１４に係る発明
高精度の微細形状の加工品であり、低いコストで作製することができる。
【発明を実施するための最良の形態】
【００３２】
レーザ加工装置において、安価な装置で高い位置決め精度を有し、かつ高い光利用効率で形状加工を行うという目的を、高価な位置合わせ装置を用いることなく、振動を生じる機械的な可動部をなくすることにより実現した。
【実施例１】
【００３３】
本発明の実施例１（請求項１に対応）について、図１及び図２を参照しながら説明する。図１はレーザ加工装置の説明図であり、図２はレーザ加工装置中の計算機の処理を説明する図である。
実施例１のレーザ加工装置は、レーザ光源１１、空間位相変調器１３、及び結像レンズ１４を有しており、該レーザ光源１１から出射したレーザ光１２は空間位相変調器１３によって位相変調を受けた後、被加工物１５に照射されその加工を行う。上記空間位相変調器１３はコントローラ１６によって制御されており、該コントローラ１６への入力データは計算機１７によって計算される。
ここで、レーザ光源１１としては、ＹＡＧレーザの第二高調波５３２ｎｍのレーザ光を用い、結像レンズ１４として焦点距離ｆ＝１０ｍｍのレンズを用いており、該結像レンズ１４と空間位相変調器１３との距離ｄは１０ｍｍとしている。 
【００３４】
上記空間位相変調器１３としては、液晶の配向方向によって位相差を発生させるもの、電気光学効果を用いたもの、又は磁気光学効果を用いたものなどがある。特に、電気光学効果や磁気光学効果を用いたものは、応答速度が速く好適なものである。また、空間位相変調器１３は反射型のものと透過型のものが存在しており、ここでは実施例として透過型のものを示しているが、反射型のものを用いても問題はない。
この空間位相変調器１３として、例えば、電気光学効果を用いた画素数５１２ピクセル×５１２ピクセル、画素ピッチが３０μｍで、レーザ光の波長に対して２πの位相変調を２５６階調で行えるものを用いている。
【００３５】
次に、図２を用いて上記空間位相変調器１３へ入力するデータの一例について説明する。像２１は加工したい形状であり、像２２は上記像２１を再生するように計算された位相変調型の計算機合成ホログラム画像である。この像２２は２５６階調、５１２ピクセル×５１２ピクセルで構成されており、最大で２πの位相変調を与えることができる。
ホログラムを計算する方法として、反復フーリエ変換法やシミュレーテッドアニーリング法などを用いることが可能である。
これらの計算方法に関しては、それぞれ以下の論文に詳しく記載されている。
(ｉ) N.Yoshikawa and T.Yatagai，Appl.Opt．33，863-867（1994）
(ii) J.Fienup，Opt.Eng．19，297-305（1980）
上記反復フーリエ変換法は、大きな画素数のホログラムであっても、シミュレーテッドアニーリング法に比較して短時間で計算することができるため、より好ましいものである。
【００３６】
上記像２２に位置移動ホログラムデータ２３を付加したものが、空間位相変調器１３へ入力する合成データ２４である。ここで、「付加」というのは、像２２に像２３のものを足して、それぞれの画素において計算上の位相変調量が実際に位相変調可能な量（ここでは２π）を超えていたとき、その値から２π引いた値を実際の入力データとする、操作を行うことである。
上記位置移動ホログラムデータ２３は、ホログラムの像再生位置を移動することのできるデータであり、このデータは上記ホログラムを計算する方法を用いて計算することができる。
【実施例２】
【００３７】
本発明の実施例２（請求項２に対応）について説明する。
この実施例２のレーザ加工装置は、上記実施例１のレーザ加工装置（図１及び図２を参照）において、より簡単に位置移動ホログラムデータを生成するものであり、位置移動ホログラムデータとして、加工面に水平な方向に関するホログラムデータと、加工面に垂直な方向に関するホログラムデータとを合成したものを用いている。ここで「合成」とは、各画素におけるデータを足した後に、変調量が２πを超えるときは２π引いた値を入力データとすることである。加工面に垂直な方向のみ、または加工面に平行な方向のみに位置調整が必要なときは、それぞれに対応したデータのみを入力すればよい。
【実施例３】
【００３８】
本発明の実施例３（請求項３に対応）について、図３−１及び図３−２を参照しながら説明する。図３−１はレーザ加工装置中の計算機の処理を説明する図であり、図３−２は鋸歯形状データについて説明する断面図である。
この実施例３のレーザ加工装置は、上記実施例２のレーザ加工装置において、加工面に平行方向にレーザ光照射位置を移動させる簡単なホログラムデータ形状を用いるものであり、図１に示されているレーザ加工装置と同じものが用いられる。空間位相変調器１３へ入力するデータの合成について、図３−１を用いて説明する。像３１は加工したい形状であり、像３２は像３１を再生するように計算された位相変調型の計算機合成ホログラム画像である。像再生位置を加工面に平行な方向に移動させるためのホログラムデータ（位置移動ホログラムデータ）として、鋸歯形状データ３３を用いて合成データ３４を作成する。
像３２を計算によって再生したものが再生像３５であり、像（合成データ）３４を再生したものが再生像３６である。鋸歯形状データ３３を付加することにより、再生像の位置がずれている。再生像３５および再生像３６においては、分かり易いように基準線を縦横に設けている。
【００３９】
上記鋸歯形状データを決定する方法に関して以下に詳しく述べる。該鋸歯形状データの断面図を図３−２(ａ)〜(ｃ)に示している。(ａ)に示されている断面は、傾きが非対称な形状となっている。
この鋸歯形状データを空間位相変調器へ入力することによって、ｘ,ｙそれぞれの方向に角度θｘ,θｙだけ光線を傾けることができ、光線の傾きに応じて像再生位置が加工面に平行な方向にずれる。傾き角θｘ,θｙは数ミリラジアン程度であり、近軸近似を適用することができる。
【００４０】
上記鋸歯形状データの決定方法を以下に詳しく述べる。
空間位相変調器によってｘ方向にθｘ、ｙ方向にθｙだけ光軸から傾いたとき、加工面におけるｘ方向、ｙ方向それぞれのホログラム再生位置ずれ量Δｘ，Δｙは、次式により表される。なお、既に説明したとおり、ｆは結像レンズの焦点距離、ｄは結像レンズと空間位相変調器との距離である（図１を参照）。
Δｘ＝tanθｘ・(２−ｆ/ｄ)
Δｙ＝tanθｙ・(２−ｆ/ｄ)
空間位相変調器のある座標ｘ,ｙの位相変調量φ(ｘ,ｙ)は、次式で与えられる。
【数１】
2006113185.tif 000003
ａｘ,ａｙは、それぞれ空間位相変調器のｘ方向の画素ピッチ、及びｙ方向の画素ピッチである。
ここで、ｍは整数であり、φ(ｘ,ｙ)が０から２πの値になるように調整するために入れるものである。
【００４１】
上記鋸歯形状データによる位置決め精度についてここで詳しく述べる。
この鋸歯形状データで与えられる最低の波面傾きは、おおよそ次式で与えられる。
λ×(８/Ｍ)/Ｎａ
ここで、λはレーザ光の波長、Ｍは位相変調の階調数、Ｎは画素のピクセル数、ａは画素のピッチである。また、最小の波面の傾きとして、全ピクセルにわたって８階調分の変調があるときとした。８階調の変調があれば、理論回折効率として９５％の効率が得られるため、十分であると考えられる。
この実施例の条件であると、波面の最小の傾きは約１.９μラジアンであり、この値がおおよその最小分解能であると考えられる。ガルバノスキャナーの典型的な位置決め精度は５μラジアンから１０μラジアンであり、本発明では、ガルバノスキャナーのような可動部品を用いること無く、それ以上の分解能で位置決めが可能となる。このとき、被加工物へ照射するレーザ光の位置決め精度は、約２０ｎｍである。この精度の値は、空間位相変調器の性能によるものであり、画素数の多いものや変調可能な諧調が多いものを用いることによって、より高い精度で位置決めを行うことが可能である。
【００４２】
鋸歯形状のデータは完全なものでなく略鋸歯形状でもよく、具体的には、図３−２(ｂ)に示されている断面図のように量子化された構造や、図３−２(ｃ)に示されている断面図のように鋸歯ではなくただ傾きを有するだけのもの、または傾きが直線ではなく多少丸みを帯びた形状となっているものでも良い。
【実施例４】
【００４３】
本発明の実施例４（請求項４に対応）について、図４を参照しながら説明する。図４はレーザ加工装置中の計算機の処理を説明する図である。
この実施例４のレーザ加工装置は、上記実施例２のレーザ加工装置において、加工面に垂直な方向に関するホログラムデータとして、簡単に計算可能なホログラムデータを用いるものであり、図１に示されているレーザ加工装置と同じものが用いられる。
【００４４】
この実施例４は、空間位相変調器１３にフレネルゾーンプレート状のデータ４５を入力することができる機能が追加されており、上記空間位相変調器１３へ入力するデータの一例を図４を用いて説明する。像４１は所望の加工形状であり、像４２は像４１を再生するように計算されたホログラム画像である。該ホログラム画像４２に鋸歯形状データ４３を付加して、一時的な合成データ４４を作成し、さらに、フレネルゾーンプレート状のデータ４５を付加することにより最終的な合成データ４６を得る。このとき、変調量が２πを超えるときは２π引いた値を入力データとする。
フレネルゾーンプレート状の位相分布は、フレネルレンズと同様の性能を持つものであり、レーザ光の波面に所望する曲率Ｒを付けることができるものである。
ここで、フレネルゾーンプレート状のデータ４５は完全なものでなくても良く、量子化された構造、又は多少崩れた構造になっていても良い。
【実施例５】
【００４５】
本発明の実施例５（請求項５に対応）について説明する。
この実施例５のレーザ加工装置は、上記実施例４のレーザ加工装置において、付加されるフレネルゾーンプレート状データの焦点距離がどのようなものであっても、ホログラム像の大きさが変化しないようにしたものであり、上記実施例４のレーザ加工装置（図１及び図４を参照）において、空間位相変調器と結像レンズとの距離ｄを結像レンズの焦点距離ｆと等しくするものである。
ここでは、結像光学系として１枚のレンズを用いた例を挙げているが、複数枚のレンズを組み合わせた光学系を用いても良く、そのときは結像光学系の合成焦点距離ｆが、上記空間位相変調器と該結像光学系の合成主平面との距離と等しくなるように配置する。
【００４６】
ところで、焦点距離ｆ1を持つレンズと焦点距離ｆ2を持つレンズが間隔ｄだけ離れて配置されているとき、合成系の焦点距離ｆ'は次式で与えられる。
【数２】
2006113185.tif 000004
よって、ｄ＝ｆ2のとき合成系の焦点距離ｆ'は、ｆ1の値に関わらずｆ2で一定となることが分かる。
上記実施例４のレーザ加工装置において、空間位相変調手段に入力するフレネルゾーンプレートの焦点距離がｆ1、結像光学手段の焦点距離がｆ2であるとすると、空間位相変調手段と結像光学手段との距離をｆ2として配置することにより、合成焦点距離はｆ2で常に一定となり、ホログラム像の大きさがフレネルゾーンプレートの焦点距離に関わらず常に一定となる加工装置が得られる。
【００４７】
このとき、焦点位置のずれΔｚは以下の式で与えられる。
Δｚ＝ｆ２/Ｒ
ｆは結像系の焦点距離、Ｒはフレネルゾーンプレート状データがレーザ光の波面に付ける曲率である。
これに対して、空間位相変調器のある座標ｘ,ｙの位相変調量φ(ｘ,ｙ)は、以下の式で与えられる。
【数３】
2006113185.tif 000005
ａｘ,ａｙは、それぞれ空間位相変調器のｘ方向の画素ピッチ、及びｙ方向の画素ピッチである。
ここで、ｍは整数であり、φ(ｘ,ｙ)が０から２πの値になるように調整するために入れるものである。
【実施例６】
【００４８】
本発明の実施例６（請求項６に対応）について、図５を参照しながら説明する。図５は波面測定装置を備えたレーザ加工装置の説明図である。
この実施例６のレーザ加工装置は、レーザ光の波面の歪みによる加工精度への悪影響を防止することができるものであり、上記各実施例のレーザ加工装置（図１を参照）において、レーザ光源１１と空間位相変調器１３との間にビームサンプラー５１を配置し、さらにレーザ光の波面測定装置５２を設けたものである。図１に示されたものと共通する部品は同じ符号で示している。
【００４９】
上記レーザ光源１１より出射したレーザ光１２の一部は、ビームサンプラー５１によって分岐され、レーザ光の波面測定装置５２に入射される。ここで、波面測定装置としては、マイクロレンズアレイを用いたシャックハルトマン型の波面測定装置や、ビームを分割し干渉させることによって波面を測定する装置などがある。
上記波面測定装置５２から出力される信号は計算機１７へ入力され、該計算機１７では波面の歪みを補正するデータを空間位相変調器１３へ送り、レーザ光の波面の歪みを補正する。
【実施例７】
【００５０】
本発明の実施例７（請求項７に対応）について、図６を参照しながら説明する。図６はレーザ光の強度調整装置と照射時間調整装置を備えたレーザ加工装置の説明図である。
この実施例７のレーザ加工装置は、加工深さを精密に制御したり、３次元的な加工形状を達成したりするものであり、上記各実施例のレーザ加工装置（図１及び図５を参照）において、レーザ光強度や照射時間の調整手段を設けたものである。具体的には、レーザ光源１１と空間位相変調器１３との間に、１/２波長板６１、グラントムソンプリズム６２、及びシャッター６３を配置しており、図１及び図５に示されたものと共通する部品は同じ符号で示している。
【００５１】
レーザ光源１１より出射したレーザ光１２は、１/２波長板６１、グラントムソンプリズム６２、及びシャッター６３を通過した後、空間位相変調器１３に入射する。該レーザ光源１１からの出力光は通常直線偏光であるため、１/２波長板６１の角度を変えることによって、グラントムソンプリズム６２を通過するレーザ光強度を調整することが可能となる。また、直線偏光度の低いレーザ光を用いる場合にはグラントムソンプリズム６２を２つ用意して、一方のグラントムソンプリズムの方向を回転することにより強度を調整することも可能である。
レーザ光の照射時間（又は照射パルス数）は、上記シャッター６３によって調整される。ここで、シャッター６３としては機械的な動作によるものでも良いし、音響光学素子や電気光学素子を用いたシャッターでも良い。
この実施例７では、強度変調を行う装置と照射時間又は照射パルス数を制御する装置の両方を備えているが、どちらか一方のみを備えたレーザ加工装置であっても良い。
【実施例８】
【００５２】
本発明の実施例８（請求項８に対応）について、図７を参照しながら説明する。図７は被加工物の位置を測定する測長器を備えたレーザ加工装置の説明図である。
この実施例８のレーザ加工装置は、加工面に平行な方向において、所望の加工位置にさらに精密に加工を行うことができるようにしたものであり、上記各実施例のレーザ加工装置（図１、図５及び図６を参照）において、被加工物の位置を２方向から測定するレーザ測長器を設けたものである。上記各実施例に示されたものと共通する部品は同じ符号で示している。
被加工物１５又は被加工物１５が保持されているステージに対して、照射するレーザ光と垂直な平面内において２方向からレーザ測長器７１を取り付け、被加工物１５の位置を測定する。該測長器７１からの信号は、計算機１７にフィードバックされる。
【実施例９】
【００５３】
本発明の実施例９（請求項９に対応）について、図８を参照しながら説明する。図８は観察装置を備えたレーザ加工装置の説明図である。
この実施例９のレーザ加工装置は、上記各実施例のレーザ加工装置（図１、図５〜図７を参照図）において、加工すべき位置を知ることにより、さらに精度の高い位置合わせができるようにしたものであり、空間位相変調器１３と結像レンズ１４との間にダイクロイックミラー８１を配置すると共に、顕微鏡筒８２、ＣＣＤカメラ８３及び照明８４を設けたものである。上記各実施例に示されたものと共通する部品は同じ符号で示している。
【００５４】
結像レンズ１４の前にレーザ光のみを反射するダイクロイックミラー８１が設置されているので、加工部はダイクロイックミラー８１と結像レンズ１４を通して顕微鏡筒８２とＣＣＤカメラ８３により観察することができる。該加工部は照明手段８４によって照明されていることが好ましい。ＣＣＤカメラの画像は計算機１７へ入力され、これによって、レーザ光の照射位置を特定するための加工部の特徴点を読み取り、計算機１７へフィードバックすることが可能となる。
【００５５】
上記特徴点としては、予め付けられたアライメントマーク、被加工物１５のエッジ部分、又は直接形状変化を伴う加工を行う際には前回までの加工部などが挙げられる。
また、このとき、レーザ光は照射されない状態にしておいても良いが、レーザ光を加工閾値以下の強度に調整して照射することにより、照射されるレーザ光の位置もＣＣＤカメラで認識することができ、照射されるレーザ光とアライメントマークの相対的位置関係を計算機１７へフィードバックすることにより、さらに精度の高い位置合わせが可能となる。
【実施例１０】
【００５６】
本発明の実施例１０（請求項１０に対応）について、図９−１及び図９−２を参照しながら説明する。図９−１は被加工物を動かすステージを備えたレーザ加工装置の説明図であり、図９−２はステップアンドリピート加工の説明図である。
この実施例１０のレーザ加工装置は、高い位置決め精度を持ちながら、繰り返し加工を行うことにより広い面積の加工を可能にしたものであり、上記各実施例のレーザ加工装置（図１、図５〜図８を参照）において、被加工物をその上に固定して移動するステージを設けたものである。上記各実施例に示されたものと共通する部品は同じ符号で示している。
被加工物１５は、レーザ光照射方向と垂直な平面内で可動な２軸ステージ９０上に固定されている。該２軸ステージ９０は、その繰り返し位置決め精度が数１０μｍ以下の廉価版自動ステージである。ＣＣＤカメラ８３からの出力信号は計算機１７へ入力され、空間位相変調器１３へ入力されるデータにフィードバックされる。
【００５７】
ステップアンドリピート加工の流れの一例を図９−２を用いて説明する。一回目の加工によってパターン９１が加工される。このとき、該加工パターン９１と同時に、二回目以降の加工においてアライメントを取るために用いられるアライメントマーク９２も加工される（図９−２(ａ)参照）。その後ステージ９０を移動して、上記実施例９において説明したように、二回目の加工のためのアライメントを取り、二回目の加工パターン９３の加工を行う（図９−２(ｂ)参照）。
【実施例１１】
【００５８】
本発明の実施例１１（請求項１１に対応）について説明する。
この実施例１１のレーザ加工装置は、ホログラム像の再生位置をレーザ光の光軸方向において精密に調整することができるようにしたものであり、上記各実施例のレーザ加工装置（図１、図５〜図９−１を参照）において、結像レンズ１４と被加工物１５との距離を計測する測長計を取り付けたものである。この測長計としては、非点収差を利用したものを用いることができるが、他に三角測量を利用したものなどを用いることも可能である。該測長計からの信号は計算機にフィードバックされ、加工面に垂直な方向に関するホログラムデータを生成する。
【実施例１２】
【００５９】
本発明の実施例１２（請求項１２に対応）について説明する。
この実施例１２のレーザ加工装置は、結像位置を大きく動かすことができるようにしたものであり、上記各実施例のレーザ加工装置（図１、図５〜図９−１を参照）において、被加工物をその上に固定してレーザ光の光軸方向に移動するステージを設けたものである。
この実施例１２のレーザ加工装置では、ステージをレーザ光の光軸方向に移動することによって、被加工物と結像レンズとの距離を大きく変えることができ、結像位置を大きく動かすことが可能であるので、段差の大きい物体の加工、又は深い溝や穴の加工を行うことができる。
【実施例１３】
【００６０】
本発明の実施例１３（請求項１３に対応）について説明する。
この実施例１３のレーザ加工装置は、レーザ光の熱伝播による影響を小さく抑えるようにしたものであり、上記各実施例のレーザ加工装置（図１、図５〜図９−１を参照）において、レーザ光源１１として、数ピコ秒(ｐｓ)以下のパルス幅を持った超短パルスレーザ光源、例えばパルス幅が１００フェムト秒(ｆｓ)のチタンサファイア(Ti:Sapphire)レーザを用いるものである。
【００６１】
レーザ光によって直接形状変化を誘起させる加工においては、通常、レーザの熱によって形状変化が誘起される。照射部にレーザ光のエネルギーが熱として伝わり、加工部が気化または液化することにより形状変化が生じる。このとき、加工が行われるレーザ照射部周辺まで熱伝播の影響を及ぼすため、光を照射した個所の周辺も熱の影響を受け、精密な加工が困難である。特に、微細な形状を加工する際には、熱の伝播による影響を無視することができない。
【００６２】
パルス幅が数ピコ秒以下の超短パルスレーザ光による加工では、被加工物とレーザ光との相互作用時間が非常に短いため、熱伝播による影響を小さく抑えることができる。
また、超短パルスレーザ光では非常に強いエネルギーが瞬間的に発生するため、低エネルギーで加工することができるので、ダイヤモンド、ガラス、又は酸化物などの難加工材に対しても、直接除去加工が可能である。
さらに、超短パルスレーザ光では非常に強いピークパワーを持つため、２光子吸収過程を利用して加工を行うことが可能であり、レーザ光に対して透明な物体の内部に加工を行うことが可能となる。このとき、本発明のレーザ加工装置では３次元的に位置合わせが可能であるため、透明体内部の任意の位置に高い位置合わせ精度で加工することが可能である。
【図面の簡単な説明】
【００６３】
【図１】は、本発明のレーザ加工装置について説明する模式図である。
【図２】は、レーザ加工装置中の計算機が行う処理に関する説明図である。
【図３−１】は、レーザ加工装置中の計算機が行う処理を説明する図であり、鋸歯形状データの付加によって加工面に水平な方向の位置移動がなされることを説明する図である。
【図３−２】は、鋸歯形状データについて説明する断面図であり、(ａ)は傾きが非対称な形状のもの、(ｂ)は量子化された形状のもの、(ｃ)は傾きを有するだけの形状のものを示す。
【図４】は、本発明のレーザ加工装置中の計算機が行う処理を説明する図である。
【図５】は、波面測定装置を備えたレーザ加工装置について説明する模式図である。
【図６】は、レーザ光の強度調整装置および照射時間調整装置を備えたレーザ加工装置について説明する模式図である。
【図７】は、加工面に平行な方向において、被加工物の位置を測定する測長器を備えたレーザ加工装置について説明する模式図である。
【図８】は、加工部を観察する観察装置を備えたレーザ加工装置について説明する模式図である。
【図９−１】は、被加工物を移動するステージを備えたレーザ加工装置について説明する模式図である。
【図９−２】は、ステップアンドリピート加工の流れを説明する図であり、(ａ)は一回目の加工結果、(ｂ)は二回目の加工結果を示す。
【符号の説明】
【００６４】
１１‥‥レーザ光源                      １２‥‥レーザ光
１３‥‥空間位相変調器                  １４‥‥結像レンズ
１５‥‥被加工物                        １６‥‥コントローラ
１７‥‥計算機                          ２１‥‥像（加工したい形状の像）
２２‥‥ホログラム画像（像２１を再生するように計算された位相変調型の計算機合成ホログラム画像）
２３‥‥位置移動ホログラムデータ        ２４‥‥合成データ
３１‥‥像（加工したい形状の像）
３２‥‥ホログラム画像（像３１を再生するように計算された位相変調型の計算機合成ホログラム画像）
３３‥‥鋸歯形状データ（像再生位置を加工面に平行な方向に移動させるためのホログラムデータ）
３４‥‥合成データ
３５‥‥再生像（ホログラム画像３２の再生像）
３６‥‥再生像（合成データ３４の再生像）
４１‥‥像（所望の加工形状の像）
４２‥‥ホログラム画像（像４１を再生するように計算されたホログラム画像）
４３‥‥鋸歯形状データ
４４‥‥一時的な合成データ
４５‥‥フレネルゾーンプレート状のデータ
４６‥‥最終的な合成データ              ５１‥‥ビームサンプラー
５２‥‥波面測定装置                    ６１‥‥１/２波長板
６２‥‥グラントムソンプリズム          ６３‥‥シャッター
７１‥‥レーザ測長器                    ８１‥‥ダイクロイックミラー
８２‥‥顕微鏡筒                        ８３‥‥ＣＣＤカメラ
８４‥‥照明手段                        ９０‥‥２軸ステージ
９１‥‥一回目の加工パターン            ９２‥‥アライメントマーク
９３‥‥二回目の加工パターン
【図１】
2006113185.tif 000006
【図３−２】
2006113185.tif 000007
【図５】
2006113185.tif 000008
【図６】
2006113185.tif 000009
【図７】
2006113185.tif 000010
【図８】
2006113185.tif 000011
【図９−１】
2006113185.tif 000012
【図９−２】
2006113185.tif 000013
【図２】
2006113185.tif 000014
【図３−１】
2006113185.tif 000015
【図４】
2006113185.tif 000016